(57)【特許請求の範囲】
【請求項１】
塑性変形可能な金属部からなり、手摺の上下方向の折曲げ部に用いる手摺の折曲げ金物であって、
前記金属部は、開放側が下方に向けて配置されるコの字断面形状部分を備え、該コの字断面形状部分の一対の側壁部を前記折曲げ部を挟んだ両側の手摺構成部部材に接合すると共に、前記コの字断面形状部分の連結壁部の上面を、前記両側の手摺構成部材の上面に沿うように配置して前記折曲げ部に取り付けられ、
且つ前記連結壁部は、中央よりも両側の側壁部に向けて肉厚が厚くなっていることにより凹曲面となった内側面を有しており、
前記金属部は、前記折曲げ部を挟んだ両側の手摺構成部材を前記所定の角度で折り曲げることにより塑性変形して、前記折曲げ部に前記両側の手摺構成部材の上面を滑らかに接続させる湾曲面を前記連結壁部の上面によって形成する手摺の折曲げ金物。
【請求項２】
前記コの字断面形状部分の両側の側壁部から突出して、中空枠状の断面形状の前記手摺構成部材に内嵌合される継手突部が各々設けられ、該継手突部を介して前記両側の手摺構成部材に接合される請求項１に記載の手摺の折曲げ金物。
【請求項３】
前記手摺構成部材に予め組み込まれて一体接合される請求項１に記載の手摺の折曲げ金物。
【請求項４】
前記コの字断面形状の両側の側壁部の内側面が、上方に向けて内側に傾斜するテーパー面となっている請求項１〜３のいずれかに記載の手摺の折曲げ金物。
【請求項５】
前記コの字断面形状部分の中空内部に、櫛歯部材が設けられる請求項１〜４のいずれかに記載の手摺の折曲げ金物。
【請求項６】
前記櫛歯部材が当該折曲げ金物と別部材として設けられる請求項５記載の手摺の折曲げ金物。
【発明の詳細な説明】
【技術分野】
【０００１】
本発明は、手摺の折曲げ金物に関し、特に塑性変形可能な金属部からなり、手摺を所定の角度で折り曲げる折曲げ部に用いる手摺の折曲げ金物に関する。
【背景技術】
【０００２】
手摺は、例えば階段や通路等の側部に沿って取り付けられ、例えば人の移動する領域を区画したり、歩行中に人がつかまりながら歩けるようにするものである。また、近年、機能性やデザイン性を考慮した種々の手摺が開発されており、所定間隔をおいて複数配置した支持部材に支持させて、手摺を、折曲げ部において不連続とすることなく、連続して延設配置した形態の手摺も見受けられる（例えば、特許文献１、特許文献２参照）。これらの手摺では、例えば階段の水平な踊場部から傾斜する階段部への上下方向の折曲がり部や、コーナー部分の横方向の折曲げ部において、屈曲自在な蛇腹状ホースからなる芯材と、芯材の外周面を覆って装着されるチューブとからなる可撓性を有するコーナー部分用手摺や、可撓芯材を軟質樹脂のチューブで被覆した折曲自在の接続棒等を介在させることにより、手摺の折曲げ部における連続性を保持するようにしたものである。
【０００３】
また、手摺は、所定の間隔をおいて立設配置した支柱に支持させつつ当該支柱の上端部に固定して設置することにより、手摺を支持固定する支持部材を取り付けるための壁面がなくても、所望の位置に支柱を設けて、手摺の自由な設計を行うことが可能になる（例えば、特許文献３参照）。
【特許文献１】特開平１０−２６６５１０号公報
【特許文献２】特開２００４−１９７３３４号公報
【特許文献３】特開平８−３０２９４６号公報
【発明の開示】
【発明が解決しようとする課題】
【０００４】
しかしながら、上記従来の可撓性を有するコーナー部分用手摺や、折曲自在の接続棒は、構成が複雑でコストが高くなると共に、これらは可撓性を有する部材であるため、折曲げ部において強度が不足する。特に、立設配置した支柱よって支持する手摺の場合、強度の不足を補うために余分な支柱が必要になって自由な設計が阻害されると共に、折曲げ部とその両側の手摺との間に異物感が生じやすくなって体裁が悪くなる。
【０００５】
本発明は、簡単な構成及び操作によって、十分な強度を備える手摺の折曲げ部を形成できると共に、両側の手摺構成部材との一体感を高めつつ美観に富んだ折曲げ部を形成できる手摺の折曲げ金物を提供することを目的とする。
【課題を解決するための手段】
【０００６】
本発明は、塑性変形可能な金属部からなり、手摺の上下方向の折曲げ部に用いる手摺の折曲げ金物であって、前記金属部は、開放側が下方に向けて配置されるコの字断面形状を備え、該コの字断面形状部分の一対の側壁部を前記折曲げ部を挟んだ両側の手摺構成部部材に接合すると共に、前記コの字断面形状部分の連結壁部の上面を、前記両側の手摺構成部材の上面に沿うように配置して前記折曲げ部に取り付けられ、且つ前記連結壁部は、中央よりも両側の側壁部に向けて肉厚が厚くなっていることにより凹曲面となった内側面を有しており、前記金属部は、前記折曲げ部を挟んだ両側の手摺構成部材を前記所定の角度で折り曲げることにより塑性変形して、前記折曲げ部に前記両側の手摺構成部材の上面を滑らかに接続させる湾曲面を前記連結壁部の上面によって形成する手摺の折曲げ金物を提供することにより、上記目的を達成したものである。
【０００７】
本発明の手摺の折曲げ金物によれば、前記コの字断面形状部分の両側の側壁部から突出して、中空枠状の断面形状の前記手摺構成部材に内嵌合される継手突部が各々設けられ、該継手突部を介して前記両側の手摺構成部材に接合されることが好ましい。
【０００８】
また、本発明の手摺の折曲げ金物によれば、前記手摺構成部材に予め組み込んで一体接合することもできる。
【０００９】
さらに、本発明の手摺の折曲げ金物によれば、前記コの字断面形状部分の両側の側壁部の内側面が、上方に向けて内側に傾斜するテーパー面となっていることが好ましい。
【００１０】
さらに、本発明の手摺の折曲げ金物によれば、前記コの字断面形状部分の中空内部に、当該折曲げ金物と一体として、又は別部材として櫛歯部材を設けることが好ましい。
【発明の効果】
【００１１】
本発明の手摺の折曲げ金物によれば、簡単な構成及び操作によって、十分な強度を備える手摺の折曲げ部を形成できると共に、両側の手摺構成部材との一体感を高めつつ美観に富んだ折曲げ部を形成することができる。
【発明を実施するための最良の形態】
【００１２】
図１に示す本発明の好ましい一実施形態に係る手摺の折曲げ金物１０は、例えば住宅の階段部分に設けられた好ましくはスチール製の手摺１１の、水平部分から傾斜部分に至る折曲り部１２に配置されて、手摺１１の上面が略連続する状態を保持しながら、折曲り部１２を挟んだ両側の手摺構成部材としての手摺本体１３を、当該折曲り部１２に十分な強度を保持しつつ滑らかに接続させるために用いられるものである。
【００１３】
そして、本実施形態の手摺の折曲げ金物１０は、塑性変形可能な金属部１４からなり、手摺１１を所定の角度で上下方向に折り曲げる折曲げ部１２に用いるジョイント用の金物であって、金属部１４は、図２にも示すように、開放側が下方に向けて配置されるコの字断面形状部分を備え、該コの字断面形状部分１８の一対の側壁部１５を折曲げ部１２を挟んだ両側の手摺本体１３に接合すると共に、コの字断面形状部分１８の連結壁部１６の上面１６ａを、両側の手摺本体１３の上面１３ａに沿うように配置して折曲げ部１２に取り付けられる。また連結壁部１６は、中央よりも両側の側壁部１５に向けて肉厚が厚くなっていることにより凹曲面となった内側面１６ｂ（図３（ｂ），（ｅ）参照）を有しており、金属部１４は、折曲げ部１２を挟んだ両側の手摺本体１３を所定の角度α（図２参照）で折り曲げることにより塑性変形して、折曲げ部１２に、両側の手摺本体１３の上面１３ａを滑らかに接続させる湾曲面を、連結壁部１６の上面１６ａによって形成するようになっている。
【００１４】
また、本実施形態では、図３（ａ）〜（ｄ）、及び図４に示すように、コの字断面形状部分１８の両側の側壁部１５から突出して、中空枠状の断面形状の手摺本体１３に内嵌合される継手突部１７が各々設けられており、折曲げ金物１０は、この継手突部１７を介して両側の手摺本体１３に接合されるようになっている。
【００１５】
折曲げ金物１０の金属部１４は、手摺本体１３と同様にスチール製の部分であり、本実施形態では、コの字断面形状部分１８及び両側の継手突部１７の全体が金属部１４となっている。これによって、コの字断面形状部分１８の連結壁部１６の上面１６ａもまた、スチールによる面となっている。なお、金属部１４のコの字断面形状部分１８の周囲を例えば樹脂で被覆して、折曲げ金物１０とすることもできる。
【００１６】
本実施形態では、折曲げ金物１０のコの字断面形状部分１８は、コの字の開放側を下方に向け、両側の側壁部１５を連結する連結壁部１６を上部に配置して、折曲げ部１２に取り付けられる。連結壁部１６の下面である内側面１６ｂは、その両側の開口縁取り部１６ｃを除いて、図３（ｅ）にも示すように、手摺１０の軸方向Ｘに沿った面において、例えば９１ｍｍ程度の曲率半径ｒで凹状に湾曲する凹曲面となっている。これによって、連結壁部１６は、その軸方向Ｘの中央よりも両側の側壁部１５に向けて肉厚が厚くなっており、例えば中央部分で２．３ｍｍ、側壁部１５との接合部分で２．６ｍｍの厚さを備えている。連結壁部１６の内側面１６ｂが凹曲面となっていることにより、後述するように折曲げ部分１２で手摺１１を折り曲げた際に、連結壁部１６の一部において曲折菱形等の不特定な形状で局所的に折れ曲がることなく、連結壁部１６は、定められた中央の肉厚の薄い部分からその両側の全体に亘って滑らかに湾曲しつつ曲折変形することになる。
【００１７】
コの字断面形状部分１８の両側の一対の側壁部１５は、その外側面１５ａが垂直面となっていて、この外側面１５ａには、手摺本体１３に内嵌合される継手突部１７が一体として突出すると共に、継手突部１７の周囲の部分が手摺本体１３の当接面となる。また側壁部１５の内側面１５ｂは、下端部から上方に向けて内側に傾斜するテーパー面となっている。側壁部１５の内側面１５ｂがテーパー面となっていることにより、折曲げ部１２を下方に折り曲げて、コの字断面形状部分１８の中空部分が狭めらた場合でも、両側の側壁部１５の下端部の間に、袋状にならない相当の隙間を確保して（図１,図２参照）、手や指が挟み込まれないようにすることが可能になる。
【００１８】
本実施形態では、折曲げ金物１０の継手突部１７は、図４（ａ），（ｂ）に示すように、扁平な略矩形の中空枠状の断面形状を有する手摺本体１３に挿入可能な断面形状を有するプレート状部分であって、上面側にナット１９の装着溝１９ａを備える上面凹部２０が設けられると共に、下面側にボルト定着穴２１が設けられている。そして、装着溝１９ａにナット１９を装着し、上面凹部２０に例えばステンレス製の支圧プレート２２を嵌め込んだ状態で、継手突部１７を手摺本体１３の端部からこれの内部に挿入し、手摺本体１３の下面帯状間隔部１３ｂを介して、ボルト２３を、下方からボルト定着穴２１に挿通してナット１９に螺合する。さらにボルト２３を締め付けることにより、支圧プレート２２は押し上げらて、手摺本体１３の天板部の下面に押し付られると共に、その反力として、継手突部１７の側壁フランジ１７ａの下端面を手摺本体１３の底板角部分の上面に当接させることにより（図４（ｂ）参照）、折曲げ金物１０を、両側の手摺本体１３によって挟まれる折曲げ部分１２に固定する。支圧プレート２２を介在させることにより、ボルト２３の先端によって手摺本体１３の天板部の下面を直線的に、且つ集中的に圧迫することがなくなり、手摺本体１３の表面の変形を防止することが可能になる。なお、ボルト２３を締め付けて、折曲げ金物１０を両側の手摺本体１３の間に接合したら、手摺本体１３の下面帯状間隔部１３ａに樹脂カバー２４を装着する。また、ナット１９の外周形状に沿った形状の装着溝１９ａを設けることにより、継手突部１７にねじ穴加工を施す必要がなくなり、加工工数の削減を図ることが可能になると共に、ナット１９を別加工で固着する必要もなくなる。
【００１９】
そして、上述の構成を有する本実施形態の手摺の折曲げ金物１０では、当該折曲げ金物１０が取り付けられた折曲げ部１２を挟んだ両側の手摺本体１３を手で持って、例えば階段の傾斜角度に応じた所定の角度で上側又は下側に折り曲げれば（図２参照）、折曲げ部１２に取り付けられた折曲げ金物１０が滑らかに曲折しながら容易且つスムーズに変形すると共に、その金属部１４であるコの字断面形状部分１８の塑性によって折り曲げ後の形状を強固に保持し、且つ金属製のコの字断面形状部分１８によって折曲げ部１２に十分な強度が確保される。したがって、このようにして折り曲げた手摺１１の構成部分を支柱２４に支持させながら所望の折曲げ角度で設置位置に取り付けることにより、折曲げ部１２に取り付けられた当該折曲げ金物１０を介して上下方向に所望の形状で折り曲げられ、立体的に取り付けられた手摺１１が容易に形成されることになる。すなわち、折曲げ金物１０を用いた簡単な構成及び操作によって、十分な強度を備える手摺１１の折曲げ部１２を形成することが可能になる。
【００２０】
また、本実施形態によれば、折曲げ金物１０の上面１６ａは、折曲げ部１２において両側の手摺本体１３の上面１３ａと連続する滑らかな曲面を形成すると共に、特に折曲げ金物１０の上面１６ａは、手摺本体１３の上面１３ａと同じ材質のステンレスの面によって構成されるので、両側の手摺本体１３との一体感を高めつつ美観に富んだ折曲り部１２を形成することが可能になる。
【００２１】
図４及び図５は、本発明の他の実施形態を示すものである。図４に示す手摺の折曲げ金物４０では、上記実施形態の折曲げ金物１０の構成に加えて、コの字断面形状部分１８の中空内部に、櫛歯部材４１を一体として設けたものである。また図５に示す手摺の折曲げ金物５０では、さらに、コの字断面形状部分１８の中空内部に、櫛歯部材５１を、当該折曲げ金物５０と別部材として着脱可能に設けたものである。これらの折曲げ金物４０，５０によっても、上記実施形態の折曲げ金物１０と同様の作用効果が奏されると共に、コの字断面形状部分１８の中空内部に、櫛歯部材４１，５１が設けられていることにより、当該中空内部に手や指が巻き込まれるのを効果的に回避でき、また折曲げ部１２の美観をさらに向上させることが可能になる。
【００２２】
図６は、本発明のさらに他の実施形態を示すものである。図６に示す実施形態では、手摺の折曲げ金物６０は、例えば手摺構成部材であるステンレス製のコーナージョイント６１に予め組み込んで一体接合することにより設けられている。またコーナージョイント６１に一体接合されたコの字断面形状部分６２の一方の側壁部６０ａとは反対側の側壁部６０ａから外側に突出する継手突部６２を介して、当該折曲げ金物６０を介在させつつコーナージョイント６１と手摺本体１３とを連設するようになっている。図６に示す実施形態では、必要に応じて折曲げ金物６０を折り曲げて、コーナージョイント６１と手摺本体１３との間に折曲げ部分１２を形成することができ、これによって上記実施形態の折曲げ金物１０と同様の作用効果が奏される。
【００２３】
なお、本発明は上記各実施形態に限定されることなく種々の変更が可能である。例えば、折曲げ金物が取り付けられる手摺構成部材（手摺本体）は、扁平な略矩形断面形状のものである必要は必ずしもなく、円形断面や楕円断面等、その他の断面形状のものであっても良い。これらの断面形状に対応させて、金属部やコの字断面形状部分の外周形状を適宜変更することにより、本発明の折曲げ金物として用いることができる。また、コの字断面形状部分の両側の側壁部の内側面を上方に向けて内側に傾斜するテーパー面とする必要は必ずしもない。さらに、手摺や折曲げ金物は、スチール製のものである必要は必ずしもない。
【図面の簡単な説明】
【００２４】
【図１】本実施形態の好ましい一実施形態に係る手摺の折曲げ金物を用いて折曲げ部を形成した手摺を例示する正面図である。
【図２】本実施形態の好ましい一実施形態に係る手摺の折曲げ金物を用いて手摺に折曲げ部を形成する状況を説明する要部正面図である。
【図３】本実施形態の好ましい一実施形態に係る手摺の折曲げ金物の、（ａ）は平面図、（ｂ）は正面図、（ｃ）底面図、（ｄ）は右側面図、（ｅ）は（ａ）のＢ−Ｂに沿った拡大断面図、（ｆ）は（ｃ）のＡ−Ａに沿った断面図である。
【図４】（ａ）は折曲げ金物を手摺本体に接合する状況を説明する斜視図、（ｂ）は折曲げ金物を手摺本体に接合した状態の断面図である。
【図５】本実施形態の好ましい他の実施形態に係る手摺の折曲げ金物を用いて折曲げ部を形成した手摺を例示する要部正面図である。
【図６】本実施形態の好ましい他の実施形態に係る手摺の折曲げ金物を用いて手摺に折曲げ部を形成する状況を説明する要部正面図である。
【図７】本実施形態の好ましいさらに他の実施形態に係る手摺の折曲げ金物を手摺構成部材に接合した状態を例示する斜視図である。
【符号の説明】
【００２５】
１０，４０，５０，６０  手摺の折曲げ金物
１１  手摺
１２  折曲げ部
１３  手摺本体（手摺構成部材）
１３ａ  手摺本体の上面
１４  金属部
１５  コの字断面形状部分の側壁部
１５ａ  側壁部の外側面
１５ｂ  側壁部の内側面
１６  コの字断面形状部分の連結壁部
１６ａ  連結壁部の上面
１６ｂ  連結壁部の内側面
１７  継手突部
１８  コの字断面形状部分
１９  ナット
１９ａ  装着溝
２０  上面凹部
２１  ボルト定着穴
２２  支圧プレート
２３  ボルト
４１，５１  櫛歯部材
６１  コーナージョイント（手摺構成部材）
Ｘ    手摺の軸方向
【図１】
0004711804.tif 000002
【図２】
0004711804.tif 000003
【図３】
0004711804.tif 000004
【図４】
0004711804.tif 000005
【図５】
0004711804.tif 000006
【図６】
0004711804.tif 000007
【図７】
0004711804.tif 000008